(57)【要約】      （修正有）【課題】開蓋作業を容易に行うことができる包装箱を提供する。【解決手段】上部外フラップ３２の先端部には、第２上部折目線ｅに沿って延びる舌片折目線ｇを介して先方へ突出する舌片３５が設けられる。上部内フラップ３１には、水平に折り曲げた上部内フラップ３１の外面に上部外フラップ３２を重なるように折り曲げるときの舌片３５と対応する位置に、舌片３５が挿入される挿入孔が形成されている。上部内フラップ３１の挿入孔が形成された周縁には、上部内フラップ３１の横方向内方から外方に向かって、挿入された舌片３５の先端部と重なり合う位置まで突出する突部が形成されている。【選択図】図６
2020070066.tif 000002
【特許請求の範囲】
【請求項１】
互いに対向する一対の第１側板と互いに対向する一対の第２側板とによって構成される角筒状の胴部と、
各第１側板の一端縁に第１折目線を介して連設された内フラップと、
各第２側板の一端縁に第２折目線を介して連設された外フラップとを備える包装箱において、
前記外フラップの先端部には、前記第２折目線に沿って延びる第３折目線を介して先方へ突出する舌片が設けられ、
前記内フラップには、該内フラップの先端縁が互いに対向するように折り曲げるとともに前記外フラップを該内フラップの外面に重なるように折り曲げることにより前記胴部の一方の開口部を閉塞したときの前記舌片と対応する位置に、該舌片が挿入される挿入孔が形成され、
前記内フラップの前記挿入孔が形成された周縁には、該内フラップの横方向内方から該内フラップの横方向外方に向かって、前記挿入された前記舌片の先端部と重なり合う位置まで突出する突部が形成されていることを特徴とする包装箱。
【請求項２】
請求項１記載の包装箱において、
前記内フラップは、該内フラップの基端から先端までの縦方向の長さが前記第２側板の横方向の長さの半分未満に形成されていることを特徴とする包装箱。
【請求項３】
請求項１または２に記載の包装箱において、
前記挿入孔が形成された前記内フラップの周縁には、該内フラップの横方向外方の側縁から横方向内方に向かって突出する係止片が前記第３折目線に沿って延びる第４折目線を介して設けられていることを特徴とする包装箱。
【請求項４】
請求項１乃至３のいずれか１項に記載の包装箱において、
前記舌片には、該舌片の側縁に第５折目線を介して連設され、前記舌片を前記挿入孔に挿入したときに該挿入孔の周縁の内表面と対向する位置まで、前記外フラップの横方向に張り出す張出部が設けられていることを特徴とする包装箱。
【請求項５】
請求項４記載の包装箱において、
前記張出部は、基端から先端に向かって次第に幅狭となるように前記外フラップ側の側縁が傾斜していることを特徴とする包装箱。
【発明の詳細な説明】
【技術分野】
【０００１】
本発明は、角筒状の胴部を備え、胴部の一方の開口部を閉塞する段ボール箱等の包装箱に関する。
【背景技術】
【０００２】
従来、野菜や果物を出荷の際に包装する包装箱が知られている（特許文献１参照）。
【０００３】
特許文献１の包装箱は、互いに対向する一対の第１側板と互いに対向する一対の第２側板とによって構成される角筒状の胴部と、各第１側板の一端縁に折目線を介して連設された内フラップと、各第２側板の一端縁に折目線を介して連設された外フラップとを備え、両内フラップを側板の上縁の折目線に沿って水平に折り曲げ、両外フラップを側板の上縁の折目線に沿って水平に折り曲げて両内フラップに重合させて、前記胴部の上部を覆って天部とするものである。
【０００４】
そして、特許文献１の包装箱では、前記内フラップは、矩形状に形成され、その先端から側板側の基端に向かって互いに離反する方向に傾斜する一対のスリットを備え、前記外フラップは、側板側の基端から先端に向かって次第に幅狭となる略台形状に形成され、その先端から両側に突出して前記内フラップの各スリットに差し込まれる差込片を備える。
【０００５】
これにより、特許文献１の包装箱では、胴部内方に向かって水平に折り曲げられた内フラップの外表面に外フラップを重合させてから、外フラップを更に押し下げて胴部の内方に傾斜させると、これに伴って内フラップも胴部の内方に傾斜し、各差込片の先端が夫々に対応するスリットに差し込まれる。
【０００６】
次いで、外フラップの押し下げを解除すると、外フラップ及び内フラップは、共に復元弾性により水平に戻り、差込片がスリットに完全に差し込まれる。
【０００７】
よって、特許文献１の包装箱は、その閉蓋作業を極めて容易に行うことができる。
【０００８】
特許文献１の包装箱では、その後、天部が閉蓋された胴部を天地反転させて開放された底部側から野菜等の内容物を投入した後、底部を閉塞し、胴部を再度反転させることで、内容物の収容作業が完了する。
【先行技術文献】
【特許文献】
【０００９】
【特許文献１】特開２００８−１２０４２３号公報
【発明の概要】
【発明が解決しようとする課題】
【００１０】
しかしながら、特許文献１の包装箱では、内容物を取り出すため、前記閉蓋作業と同様に、外フラップを押し下げて差込片をスリットから抜き出す必要があるため、胴部の内方に傾斜させた外フラップ及び内フラップで内容物を傷つけないように気を付けながら、開蓋作業を行う必要があった。
【００１１】
上記の点に鑑み、本発明は、開蓋作業を容易に行うことができる包装箱を提供することを目的とする。
【課題を解決するための手段】
【００１２】
かかる目的を達成するために、互いに対向する一対の第１側板と互いに対向する一対の第２側板とによって構成される角筒状の胴部と、各第１側板の一端縁に第１折目線を介して連設された内フラップと、各第２側板の一端縁に第２折目線を介して連設された外フラップとを備える包装箱において、前記外フラップの先端部には、前記第２折目線に沿って延びる第３折目線を介して先方へ突出する舌片が設けられ、前記内フラップには、該内フラップの先端縁が互いに対向するように折り曲げるとともに前記外フラップを該内フラップの外面に重なるように折り曲げることにより前記胴部の一方の開口部を閉塞したときの前記舌片と対応する位置に、該舌片が挿入される挿入孔が形成され、前記内フラップの前記挿入孔が形成された周縁には、該内フラップの横方向内方から該内フラップの横方向外方に向かって、前記挿入された前記舌片の先端部と重なり合う位置まで突出する突部が形成されていることを特徴とする。
【００１３】
本発明の包装箱では、各内フラップの先端縁が対向するように第１折目線に沿って折り曲げ、外フラップを該内フラップの外面に重なるように第２折目線に沿って折り曲げることにより胴部の一方の開口部を閉塞することができる。そして、かかる状態で外フラップを押し下げて胴部の内方に傾斜させると、これに伴い内フラップも胴部の内方に傾斜し、外フラップに形成された舌片が、内フラップの対応する一に形成された挿入孔に差し込まれる。
【００１４】
次いで、外フラップの押し下げを解除すると、外フラップ及び内フラップは、共に第１・第２折目線の復元弾性により水平に戻る。このとき、前記内フラップの挿入孔が形成された周縁には、該舌片の先端部と重なり合う位置に突部が形成されているため、差込片の先端は該突部に係止される。
【００１５】
以上により、本発明の包装箱によれば、閉蓋作業を容易に行うことができる。
【００１６】
さらに、本発明の包装箱では、舌片が第２側板に対して、第２折目線、外フラップ及び前記第２折目線に沿って延びる第３折目線を順次介して連設されているため、舌片の先端部を第２側板の一端縁に近づく方向に押し込みまたは引っ張ると、外フラップ及び舌片は、側面視「へ」の字状に屈曲される。
【００１７】
これにより、舌片の先端縁は、突部よりも内フラップの横方向外方に変位するため、突部から離間して係止状態から解除される。よって、外フラップ及び舌片は、胴部の外方に第２折目線を回動軸として回動できるため、舌片を挿入孔から抜き出しつつ、胴部の一方の開口部を開蓋することができる。
【００１８】
すなわち、本発明の包装箱によれば、開蓋するために外フラップ及び内フラップを胴部の内方に傾斜させる必要がないため、内容物を傷つけないように気を付けながら、開蓋作業を行う必要が少ない。
【００１９】
以上により、本発明の包装箱によれば、開蓋作業を容易に行うことができる。
【００２０】
また、本発明の包装箱において、前記内フラップは、該内フラップの基端から先端までの縦方向の長さが前記第２側板の横方向の長さの半分未満に形成されていることが好ましい。
【００２１】
この構成によれば、内フラップは互いに間隙を存して胴部の上部を覆うため、該間隙から舌片の先端縁に指を引っ掛けて、第２側板の一端縁に近づく方向に引っ張ることができる。よって、より容易に舌片の先端縁を突部から離間させて係止解除できる。
【００２２】
したがって、この構成を備える包装箱によれば、開蓋作業をより容易に行うことができる。
【００２３】
また、本発明の包装箱において、前記挿入孔が形成された前記内フラップの周縁には、該内フラップの横方向外方の側縁から横方向内方に向かって突出する係止片が前記第３折目線に沿って延びる第４折目線を介して設けられていることが好ましい。
【００２４】
この構成によれば、係止片によって舌片は突部に押し付けられるため、舌片と突部との摩擦係合を高めて閉蓋状態をより強固に維持することができる。
【００２５】
その一方で、係止片は、前記第３折目線に沿って延びる第４折目線を介して設けられているため、開蓋作業において、舌片を第３折目線で折り曲げようとすると、これに伴い、その下側に重合されている舌片も第４折目線で折り曲がるため、開蓋作業の容易性を損なわない。
【００２６】
また、本発明の包装箱において、前記舌片には、該舌片の側縁に第５折目線を介して連設され、前記舌片を前記挿入孔に挿入したときに該挿入孔の周縁の内表面と対向する位置まで、前記外フラップの横方向に張り出す張出部が設けられていることが好ましい。
【００２７】
この構成によれば、内フラップ、外フラップの順で折り曲げて胴部の一方の開口部を閉塞した状態で外フラップを押し下げて胴部の内方に傾斜させると、張出部は、挿入孔の開口縁に摺接され相対的に押し込まれることにより、第５折目線で谷折りに折り畳まれるため挿入孔を通過することができる。
【００２８】
次いで、挿入孔を通過すると、張出部は第５折目線の復元弾性により舌片に対して平行に戻る。このとき、張出部は、該挿入孔の周縁の内表面と対向する位置まで前記外フラップの横方向に張り出しているものであることから、外フラップ及び内フラップが水平に戻ると、該挿入孔の周縁の内表面に係止される。
【００２９】
よって、この構成を備える包装箱によれば、閉蓋状態をより強固に維持することができる。
【００３０】
その一方で、舌片を挿入孔から抜き出す際には、張出部は、第５折目線で山折りに折り畳まれて挿入孔を通過するため、開蓋作業の容易性を損なわない。
【００３１】
また、前記張出部を備える包装箱においては、前記張出部は、基端から先端に向かって次第に幅狭となるように前記外フラップ側の側縁が傾斜していることが好ましい。
【００３２】
この構成によれば、開蓋作業において、舌片の先端部を第２側板の一端縁に近づく方向に押し込みまたは引っ張ると、外フラップ及び舌片は側面視「へ」の字状に屈曲されるため、舌片自体は、基端側から徐々に胴部の外方に持ち上げられる。このとき、前記張出部は、基端から先端に向かって次第に幅狭となるように前記外フラップ側の側縁（舌片基端側の側縁）が傾斜しているため、舌片が基端側から持ち上げられるのにしたがい、前記張出部の傾斜した側縁が挿入孔の開口縁に摺接され相対的に押し込まれることにより、第５折目線で容易に山折りに折り畳まれる。
【００３３】
よって、この構成を備える包装箱によれば、張出部を設けた包装箱の開蓋作業をより容易に行うことができる。
【図面の簡単な説明】
【００３４】
【図１】本実施形態における包装箱の外観を示す斜視図。
【図２】図１の包装箱の展開図。
【図３】図１の包装箱の閉蓋工程を説明するための斜視図であって、上部フラップを水平に折り曲げた状態を示す斜視図。
【図４】図１の包装箱の閉蓋工程を説明するための斜視図であって、上部外フラップを胴部内方に押し込んだ状態を示す斜視図。
【図５】図１の包装箱の閉蓋工程を説明するための斜視図であって、天部が完成した状態を示す斜視図。
【図６】図１の包装箱の開蓋工程を説明するための斜視図。
【発明を実施するための形態】
【００３５】
本実施形態の包装箱１は、図１に示すように、角筒状の胴部２と、該胴部２の上端を閉蓋する天部３と、該胴部２の下端を閉塞する底部４とによって直方体状に形成され、閉蓋状態で天部３の中央部が開放されて野菜等の包装に好適な形状を有している。
【００３６】
包装箱１は、図２に示すように、打抜き形成された段ボール板紙１０から組み立てられる。
【００３７】
包装箱１は、一対の第１側板２１と一対の第２側板２２とが夫々胴部折目線ａを介して交互に連設されている。各側板２１，２２は、夫々胴部折目線ａに沿って折り曲げられ、次いで、一方の第１側板２１の端縁に連設された接着片２３が一方の第２側板２２の端部に接着されて前記胴部２（図１参照）を形成する。
【００３８】
また、各第１側板２１の下端縁には下部外フラップ４１が第１下部折目線ｂを介して連設されている。また、各第２側板２２の下端縁には下部内フラップ４２が第２下部折目線ｃを介して連設されている。各下部フラップ４１，４２は各下部折目線ｂ，ｃに沿って水平に折り曲げられて前記底部４（図１参照）を形成する。
【００３９】
次に、本発明に係る本実施形態の前記天部３の構成を詳しく説明する。
【００４０】
図２に示すように、各第１側板２１の上端縁には第１上部折目線ｄ（本発明の第１折目線に相当。）を介して上部内フラップ３１が連設されており、各第２側板２２には第２上部折目線ｅ（本発明の第２折目線に相当。）を介して上部外フラップ３２が連設されている。
【００４１】
上部内フラップ３１は、左右方向の中央部が略逆台形状に切り欠かれた概略凹形状に形成されている。上部内フラップは、少なくとも左右方向の中央部が、縦方向の長さが前記第２側板の横方向の長さの半分未満に形成されているため、上述したように、閉蓋状態で天部３の中央部が開放される。
【００４２】
上部内フラップ３１の先端側の左右には、隣接する各側縁から所定の距離離間した位置に、該上部内フラップ３１の先端縁から基端に向かって第１上部折目線ｄに直交する方向に延びる係止折目線ｆ（本発明の第４折目線に相当。）が形成されている。
【００４３】
また、該係止折目線ｆの先端は、上部内フラップ３１の横方向内方に延びてから先端縁に向かってＬ字状に湾曲するように形成されたＬ字状切込３３に接続されている。
【００４４】
上部内フラップ３１のうち、係止折目線ｆとＬ字状切込３３と上部内フラップ３１の先端縁とで囲まれた領域が係止片３４であって、この係止片３４を係止折目線ｆで胴部２の内方に押し込んで開口させることで、上部内フラップ３１に本発明の挿入孔３４ａが形成される。また、このときＬ字状切込３３は鋭角に湾曲しているため、挿入孔３４ａを開口させたとき、Ｌ字状切込３３で切り欠かれた上部内フラップ３１の周縁先端側には、該上部内フラップ３１の横方向内方から外方に向かって突出する突部３１ａが形成されている。突部３１ａは、図３に示すように、水平に折り曲げた上部内フラップ３１の外表面に上部外フラップ３２を重なるように折り曲げたときに、舌片３５の先端部に重なる位置まで突出するよう形成されている。
【００４５】
上部外フラップ３２は、図２に示すように、第２側板２２側の基端から先端に向かって次第に幅狭となるように両側縁が約４５°の角度で傾斜する略台形状に形成されている。
【００４６】
また、上部外フラップ３２の先端縁には、第２上部折目線ｅに沿って平行に延びる舌片折目線ｇ（本発明の第３折目線に相当。）を介して略矩形状の舌片３５が連設されている。舌片折目線ｇ及び舌片３５は、図３に示すように、水平に折り曲げた上部内フラップ３１の外表面に上部外フラップ３２を重なるように折り曲げたときに、係止折目線ｆ及び係止片３４に対応する位置に夫々形成されている。
【００４７】
舌片３５の先端縁の中央部には、略半円状に凹んだ指掛部３５ａが形成されている。
【００４８】
また、上部外フラップ３２の両側縁には、揺動折目線ｈ（本発明の第５折目線に相当。）を介して、該上部外フラップ３２の横方向の外方に張り出す張出部３６が夫々設けられている。張出部３６は、略直角三角形状であり、第２側板２２側の基端から先端に向かって次第に幅広となるように側縁が傾斜する傾斜縁３６ａを夫々有する。
【００４９】
張出部３６の揺動折目線ｈは、図３に示すように、水平に折り曲げた上部内フラップ３１の外表面に上部外フラップ３２を重なるように折り曲げたときに、Ｌ字状切込３３のうち第１上部折目線ｄと平行に延びる箇所に対応する位置に形成され、張出部３６自体は、上部内フラップ３１の外表面に重ねられている。
【００５０】
次に、以上の構成からなる包装箱１の閉蓋作業について説明する。
【００５１】
本実施形態の包装箱１は、前記接着片２３により一方の第１側板２１の端縁と一方の第２側板２２の端部とを連結して角筒状の胴部２を形成し、底部４を形成しない状態（下部外フラップ４１と下部内フラップ４２によって閉塞しない状態）で、野菜等の内容物を収容するに先立って閉蓋作業を行う。
【００５２】
まず、図３に示すように、上部内フラップ３１を第１側板２１に対して直角となるように第１上部折目線ｄに沿って内方に折り曲げる。次いで、上部外フラップ３２を第２側板２２に対して直角となるように第２上部折目線ｅに沿って内方に折り曲げる。これにより、各上部内フラップ３１の外表面に各上部外フラップ３２の内表面が重合する。
【００５３】
続いて、舌片３５を押下することで、上部外フラップ３２を第２側板２２に対して鋭角となるように更に押し下げ、第２上部折目線ｅを介して胴部内方に傾斜させる。これに伴って、上部内フラップ３１が上部外フラップ３２の押し下げ力により第１上部折目線ｄを介して胴部内方に傾斜する。
【００５４】
このとき、張出部３６は、上部内フラップ３１のＬ字状切込３３の周辺に押し付けられて、舌片３５に対して揺動折目線ｈで谷折りされる。これとともに、舌片３５の先端縁が、係止片３４の先端縁よりも基端側に相対的に移動すると、一対の係止片３４が舌片３５の押し下げ力により係止折目線ｆを介して山折りされ、挿入孔３４ａが開口される。そして、舌片３５は、張出部３６が折り畳まれた状態で、該挿入孔３４ａを通過して上部内フラップ３１に内表面側に差し込まれる。
【００５５】
次いで、舌片３５の押し下げを解除する。これによって、図５に示すように、上部外フラップ３２と上部内フラップ３１とは、共に第２上部折目線ｅ及び第１上部折目線ｄにおける復元弾性により水平に戻る。また、張出部３６は、揺動折目線ｈにおける復元弾性により舌片３５と平行に戻り、係止片３４は、係止折目線ｆにおける復元弾性により水平方向に戻ろうとする。
【００５６】
これにより、張出部３６は、第２上部折目線ｅにおける復元弾性により上部内フラップ３１の内表面に押し付けられ係止される。さらに、係止片３４が水平方向に戻ろうとして舌片３５を上方に押し上げようとすることで、舌片３５及び張出部３６は、上部内フラップ３１の内表面及び係止片３４の外表面によって挟持される。
【００５７】
したがって、張出部３６の挿入孔３４ａからの抜け出しが規制され、上部内フラップ３１と上部外フラップ３２との開蓋方向の回動を阻止することができる。以上説明したとおり、本実施形態の包装箱１は、その閉蓋作業を極めて容易に行うことができるとともに、強固に閉蓋することができる。
【００５８】
その後、天部３が閉蓋された胴部２内に内容物の収容作業を行う。即ち、図示しないが、天部３が閉蓋された胴部２を天地反転させて、開放された底部側から野菜等の内容物を投入し、各下部フラップ４１，４２を下部折目線ｂ，ｃに沿って水平に折り曲げて閉塞された底部４（図１参照）を形成する。そして、各下部フラップ４１，４２をステープルや接着テープを用いて封緘し、胴部２を反転させて天部３を上方に向けることにより内容物の収容作業が完了する。
【００５９】
次に、包装箱１の開蓋作業について説明する。
【００６０】
まず、各舌片３５の指掛部３５ａに手指をかけ、隣接する第２側板２２の上方に向かって斜め上に引っ張る。
【００６１】
これにより、図６に示すように、舌片３５及び上部外フラップ３２は、舌片折目線ｇ及び第２上部折目線ｅで夫々山折りされ、側面視で概略「へ」の字状に屈曲される。
【００６２】
これを個別にみると、上部外フラップ３２は、第２側板２２に対して平行となる方向に第２上部折目線ｅを回動軸として回動され、徐々に上部内フラップ３１から離間していく。また、これに伴い、上部外フラップ３２に連設された舌片３５も基端側から徐々に上部内フラップ３１から離間していく。
【００６３】
これにより、舌片３５に対しては、上部内フラップ３１によって形成された挿入孔３４ａから引き抜こうとする力が働く。このとき、舌片３５に連設された張出部３６には、第２側板２２側の基端から先端に向かって次第に幅広となる傾斜縁３６ａが設けられているため、舌片３５を基端側から挿入孔３４ａから引き抜こうとすると、該傾斜縁３６ａが挿入孔３４ａを画定するＬ字状切込３３の周縁に対して斜めに接した状態で強くけん引されるため、張出部３６は舌片３５に対して揺動折目線ｈで山折りされる。
【００６４】
これにより、舌片３５は、張出部３６が折り畳まれた状態で、該挿入孔３４ａを通過して胴部外方に引き抜かれ、張出部３６による挿入孔３４ａからの抜け出し規制が解除されるため、天部３を開蓋することができる。
【００６５】
以上説明したとおり、本実施形態の包装箱１では、開蓋作業において、閉蓋作業時のように、上部外フラップ３２及び上部内フラップ３１を胴部内方に傾斜させる必要がないため、上部外フラップ３２及び上部内フラップ３１が野菜等の内容物を傷つける心配がない。よって、本実施形態の包装箱１によれば、開蓋作業を極めて容易に行うことができる。
【００６６】
以下、本実施形態の変形例を説明する。
【００６７】
本実施形態では、挿入孔３４ａを封止する係止片３４が形成されているが、係止片３４は省略してもよく、当初から挿入孔３４ａが開口していてもよい。
【００６８】
本実施形態では、突部３１ａとして、該上部内フラップ３１の横方向内方から外方に向かって突出したものを例に説明したが、本発明はこれに限られない。すなわち、突部３１ａは、水平に折り曲げた上部内フラップ３１の外表面に上部外フラップ３２を重なるように折り曲げたときに、舌片３５の先端部に重なる位置に上部内フラップ３１（挿入孔３４ａを除く領域）が存在すればよいため、形状は凸状に限られず、第１上部折目線ｄと直交する方向に平行に延びるものであってもよい。
【００６９】
本実施形態では、舌片折目線ｇ及び舌片３５は、係止折目線ｆ及び係止片３４に対応する位置に夫々形成されているものを例に説明したが、本発明は段ボール板紙等の弾性を備えた材料で形成されるため、位置が完全に一致している必要はなく、押し込む力などが伝達する程度に近傍に配置されていればよい。
【００７０】
本実施形態では、舌片３５に揺動可能な張出部３６を備えたものを例に説明したが、本発明はこれに限られず、張出部３６は省略してもよく、また、舌片３５自体の横幅を、挿入孔３４ａの第２側板に沿う方向の幅以上にすることもできる。
【符号の説明】
【００７１】
１      包装箱
２      胴部
２１    第１側板
２２    第２側板
３１    内フラップ（上部内フラップ）
３１ａ  突部
３２    外フラップ（上部外フラップ）
３４    係止片
３４ａ  挿入孔
３５    舌片
３６    張出部
ｄ      第１折目線（第１上部折目線）
ｅ      第２折目線（第２上部折目線）
ｇ      第３折目線（舌片折目線）
ｆ      第４折目線（係止折目線）
ｈ      第５折目線（揺動折目線）
【図１】
2020070066.tif 000003
【図２】
2020070066.tif 000004
【図３】
2020070066.tif 000005
【図４】
2020070066.tif 000006
【図５】
2020070066.tif 000007
【図６】
2020070066.tif 000008